(57)【要約】【課題】巻取機構を有するプリンタ、プロッタなどの記録装置において、巻取機構の巻取方向を切り替えて使用する場合、用紙の先端を巻取機構に取り付ける準備作業が煩雑であった。【解決手段】本発明の記録装置は、ロール紙を引き出して搬送する搬送手段と、搬送されたロール紙上に画像を印刷する印刷手段と、印刷されたロール紙を巻き取る巻取手段とを有する。ユーザが記録装置の準備作業を行う際、巻取手段が、印刷されたロール紙の印刷面を内側に巻き取るか、または、印刷面を外側に巻き取るかに応じて、ロール紙の先端を、巻取手段における取付位置まで搬送するための搬送量が決定される。【選択図】図８
2017071184.tif 000002
【特許請求の範囲】
【請求項１】
ロール紙を引き出して搬送する搬送手段と、
前記搬送されたロール紙上に画像を印刷する印刷手段と、
前記印刷されたロール紙を巻き取る巻取手段とを有する記録装置において、
前記巻取手段が、前記印刷されたロール紙の印刷面を内側に巻き取るか、または、前記印刷面を外側に巻き取るかに応じて、前記ロール紙の先端を、前記巻取手段における取付位置まで搬送するための搬送量を決定する搬送量決定手段を備えること
を特徴とする記録装置。
【請求項２】
前記印刷面が外側に巻き取られる外巻きにおける前記搬送量よりも、前記印刷面が内側に巻き取られる内巻きにおける前記搬送量が大きいこと
を特徴とする請求項１に記載の記録装置。
【請求項３】
前記印刷面が内側に巻き取られる内巻きにおける前記搬送量よりも、前記印刷面が外側に巻き取られる外巻きにおける前記搬送量が大きいこと
を特徴とする請求項１に記載の記録装置。
【請求項４】
前記印刷手段は、
前記巻取手段に取り付けられる前の前記ロール紙上に画像を印刷すること
を特徴とする請求項１から３のいずれか１項に記載の記録装置。
【請求項５】
前記搬送手段に、前記決定された搬送量の前記ロール紙を搬送させる搬送制御手段をさらに備えること
を特徴とする請求項１から４のいずれか１項に記載の記録装置。
【請求項６】
前記巻取手段の巻取方向をユーザが設定するための設定入力手段をさらに備え、
前記設定入力された前記巻取方向に応じて前記搬送量が決定されること
を特徴とする請求項１から５のいずれか１項に記載の記録装置
【請求項７】
前記巻取手段の巻取方向をユーザが設定するためのユーザインターフェース画面を表示する表示手段をさらに備え、
前記ユーザインターフェース画面を介して設定された前記巻取方向に応じて前記搬送量が決定されること
を特徴とする請求項１から５のいずれか１項に記載の記録装置。
【請求項８】
ロール紙を引き出して搬送する搬送手段と、
前記搬送されたロール紙上に画像を印刷する印刷手段と、
前記印刷されたロール紙を巻き取る巻取手段とを有する記録装置を制御する制御方法において、
前記巻取手段が、前記印刷されたロール紙の印刷面を内側に巻き取るか、または、前記印刷面を外側に巻き取るかに応じて、前記ロール紙の先端を、前記巻取手段における取付位置まで搬送するための搬送量を決定する搬送量決定ステップを備えること
を特徴とする制御方法。
【請求項９】
コンピュータを、請求項１から７のいずれか１項に記載の記録装置の各手段として機能させるためのプログラム。
【請求項１０】
ロール紙を引き出して搬送する搬送手段と、
前記搬送されたロール紙上に画像を印刷する印刷手段と、
前記印刷されたロール紙を巻き取る巻取手段とを有する記録装置において、
前記搬送手段は、
前記印刷されたロール紙の印刷面が内側に巻き取られるか、または、前記印刷面が外側に巻き取られるかに応じて、前記ロール紙の先端が、前記巻取手段における取付位置に到達するように、前記ロール紙を搬送すること
を特徴とする記録装置。
【発明の詳細な説明】
【技術分野】
【０００１】
本発明は、搬送された記録媒体を巻き取る巻取機構を有するプリンタ、プロッタなどの記録装置に関する。
【背景技術】
【０００２】
長尺の用紙に印刷を行うプリンタ、プロッタなどの記録装置では、ロール状に巻かれたロール紙などから用紙を引き出して画像を印刷するものがある。このような記録装置において、用紙に連続して画像を印刷する場合、印刷された用紙を巻き取るための巻取機構を備えるものが知られている。
【０００３】
印刷された用紙を巻き取る場合、接着テープなどを用いて、用紙の先端を巻取機構における芯体に接着するなどの準備作業が必要になる。記録装置のなかには、記録装置における排出口などから、巻取機構における固定位置までの長さに対応する用紙の搬送量を予めＲＯＭに保持し、用紙の先端を巻取機構に接着する際に、当該搬送量分の用紙を搬送する記録装置が知られている（特許文献１）。
【０００４】
また、このような巻取機構を有する記録装置において、画像が印刷された印刷面を外側にして用紙を巻き取る巻取機構を有するものと、画像が印刷された印刷面を内側にして用紙を巻き取る巻取機構を有するものとが知られている。
【０００５】
一般に、印刷面を外側にして巻き取る外巻きにした場合、印刷面が後続の用紙に重なるまでの間、インクの乾燥時間を確保することができるため、印刷画像の定着性に優れる。しかし、巻取機構によってロール状に巻き取られた印刷物の最外側にも印刷画像が露出することになるため、運搬時や保管時に最外側の印刷画像が汚損する可能性が生じる。逆に、印刷面を内側にして巻き取る内巻きにした場合、印刷面が以前巻き取られた用紙とすぐに重なるため、インクの乾燥時間を確保することができないが、ロール状に巻き取られた印刷物の最外側に印刷画像が露出しないので、運搬や保管には有利である。
【０００６】
このように、巻取機構を有する記録装置において、外巻きまたは内巻きなどの巻取方向は、用紙やインクなどの特性や、ロール状に巻き取られた印刷物の管理条件などを考慮して決定される必要がある。また、当然のことながら、巻取機構が搬送された用紙を巻き取る巻取方向に応じて、記録装置を使用するための準備作業も異なることになる。すなわち、巻取方向が外巻きの場合は、印刷面が外向きとなるように用紙の先端と芯体とを固定し、巻取方向が内巻きの場合は、印刷面が内向きとなるように用紙の先端と芯体とを固定する必要がある。巻取機構を有する記録装置のなかには、巻取方向を切り替えて使用できるものもあるが、通常、用紙の先端と芯体とを固定する準備作業は手作業を必要とする。
【先行技術文献】
【特許文献】
【０００７】
【特許文献１】特開２００１−２６１２０６号公報
【発明の概要】
【発明が解決しようとする課題】
【０００８】
従来の記録装置は、用紙の先端を巻取機構に取り付ける際に、予め定められた搬出量の用紙を搬送していた。しかしながら、記録装置の排出口などから巻取機構の取付位置までの経路長は、用紙を外巻きにする場合と用紙を内巻きにする場合とで異なる。そのため、用紙を外巻きにする場合では、搬送された用紙の先端が取付位置に取り付けるのに適した位置に到達するが、用紙を内巻きにする場合では、搬送された用紙の先端が取付位置に届かないことが起き得る。逆に、用紙を内巻きにする場合では、搬送された用紙の先端が取付位置に取り付けるのに適した位置に到達するが、用紙を外巻きにする場合では、余分な用紙が搬送されてしまうことが起き得る。
【０００９】
このような場合、記録装置のユーザは、手作業で用紙の搬送を微調整する必要があった。つまり、巻取機構を有する記録装置において、巻取機構の巻取方向を切り替えて使用する場合、用紙の先端を巻取機構に取り付ける準備作業が煩雑であった。
【課題を解決するための手段】
【００１０】
本発明に係る記録装置は、ロール紙を引き出して搬送する搬送手段と、前記搬送されたロール紙上に画像を印刷する印刷手段と、前記印刷されたロール紙を巻き取る巻取手段とを有する記録装置において、前記巻取手段が、前記印刷されたロール紙の印刷面を内側に巻き取るか、または、前記印刷面を外側に巻き取るかに応じて、前記ロール紙の先端を、前記巻取手段における取付位置まで搬送するための搬送量を決定する搬送量決定手段を備えることを特徴とする
【発明の効果】
【００１１】
本発明の記録装置によれば、巻取機構を有する記録装置において、用紙の先端を巻取機構に取り付ける準備作業の負担を軽減することができる。
【図面の簡単な説明】
【００１２】
【図１】実施形態における記録装置の外観斜視図を示す図である。
【図２】実施形態における記録装置の機能構成を示すブロック図である。
【図３】実施形態における記録装置の詳細を示す模式図である。
【図４】実施形態における記録装置が実行する処理を示すフローチャートである。
【図５】実施形態における表示画面の一例である。
【図６】実施形態における記録装置が実行する処理を示すフローチャートである。
【図７】実施形態における表示画面の一例である。
【図８】実施形態において、用紙取付位置まで用紙を搬送する処理を示すフローチャートである。
【図９】実施形態２における記録装置の詳細を示す模式図である。
【発明を実施するための形態】
【００１３】
以下、本発明を実施するための形態について図面を参照して説明する。ただし、この実施形態に記載されている構成要素はあくまで例示であり、本発明の範囲をそれらに限定する趣旨のものではない。
【００１４】
［実施形態１］
図１は、本実施形態における記録装置１００の外観斜視図を示す図である。本実施形態の記録装置１００は、長尺の用紙に印刷を行うインクジェットプリンタを例に説明するが、プリンタの種類はこれに限られず、いわゆるプロッタや他の方式のプリンタであってもよい。記録装置１００は、電源コンセントと接続されるＡＣ電源ケーブル１０１を介して、記録装置１００の背面に配置されている不図示の電源ユニットに電源の供給を受ける。記録装置１００の前面には、着脱可能な複数のインクタンク１０２が配設される。本実施形態では、シアン（Ｃ）、マゼンダ（Ｍ）、イエロー（Ｙ）、ブラック（Ｋ）の４種類のインクタンク１０２が記録装置１００に配設される。
【００１５】
不図示の芯体と、当該芯体にロール状に巻かれた印刷前のロール紙１０４とは、ロール部１０５を構成し、用紙１０３は、ロール部１０５から引き出される。芯体内部にはシャフト１０６が通されており、ロール部１０５は、シャフト１０６を中心に回転可能に係止されている。また、ロール紙１０４は、フランジ１０７によって左右方向への移動が制限されるように固定されている。
【００１６】
後述の印刷制御部２０４は、同じく後述の搬送制御部２０５と連携し、用紙１０３上（ロール紙上）に所望の画像を印刷する。具体的には、ＣＲモータ２０７によるキャリッジ動作と、キャリッジユニット１０８における印刷ヘッド駆動と、ＬＦモータ２０８による紙送りとが繰り返されることにより画像が形成される。ここで、ＣＲモータおよびＬＦモータは、それぞれ「キャリッジモータ」および「ラインフィードモータ」を示す。キャリッジユニット１０８などで画像が印刷された印刷面を含む用紙１０３は、記録装置１００の排出口１０９から排出され、巻取部１１０によって巻き取られる。巻取部１１０においても、不図示の芯体内部にはシャフト１１１が通されており、巻取部１１０は、シャフト１１１を中心に回転して、排出口１０９から排出された用紙１０３を巻き取る。また、巻取部１１０によってロール状に巻き取られた印刷物１１２も、フランジ１１３によって左右方向への移動が制限されるように固定されている。ただし、巻取部１１０は、ロール部１０５とは異なり、シャフト１１１を中心に回転可能に係止されておらず、後述の巻取制御部２０６が同じく後述の巻取モータ２０９の回転量および回転方向を制御することにより回転駆動される。
【００１７】
図２は本実施形態における記録装置１００の機能構成を示すブロック図である。ＣＰＵ２０１は、バスを介して各部と相互に通信可能に接続され、接続される各部を統括的に制御するプロセッサである。ＲＯＭ２０２は、ＣＰＵ２０１で実行される制御プログラム等を格納している。ＲＡＭ２０３は、ＣＰＵ２０１の主メモリ、ワーク領域として機能する。
【００１８】
印刷制御部２０４は、ＣＰＵ２０１の制御下で搬送制御部２０５と連携し、ＣＲモータ２０７、キャリッジユニット１０８、および印刷ヘッドを駆動し、用紙１０３への画像を印刷する制御を行う。
【００１９】
搬送制御部２０５は、ＣＰＵ２０１の制御下で印刷制御部２０４と連携し、ＬＦモータ２０８を駆動し、キャリッジユニット１０８が用紙１０３への画像を印刷することができるように、用紙１０３を搬送する制御を行う。また、搬送制御部２０５は、画像が印刷された印刷面を含む用紙１０３を搬送する制御を行う。さらに、搬送制御部２０５は、ユーザが用紙１０３の先端を巻取部１１０の芯体に取り付ける際に、ＬＦモータ２０８を駆動し、所定の搬送量分の用紙１０３を搬送する制御も行う。
【００２０】
巻取制御部２０６は、ＣＰＵ２０１の制御下で巻取モータ２０９を駆動し、搬送制御部２０５によって搬送された用紙１０３を、巻取部１１０で巻き取る制御を行う。
【００２１】
本実施形態において、ＣＰＵ２０１、ＲＯＭ２０２、ＲＡＭ２０３、印刷制御部２０４、搬送制御部２０５、巻取制御部２０６は、記録装置１００の印刷制御および搬送制御を行う制御部２００を構成する。
【００２２】
表示部２１０は、ＣＰＵ２０１から受信した記録装置１００の状態情報を含む画面や、ユーザが設定を入力するためのユーザインターフェース画面（以下「ＵＩ」と記す場合もある）などを表示する。表示部２１０には、一般的に液晶ディスプレイが広く用いられる。また、表示部２１０は、タッチスクリーン機能を有していてもよく、該タッチスクリーンを用いたユーザ指示を、記録装置１００への設定入力として扱うことも可能である。また、タッチスクリーン機能を用いなくても、物理的なスイッチへの切替入力を、ユーザの設定入力として扱うことも可能である。この場合、ユーザがスイッチを切り替える操作を行うことにより、例えば巻取部１１０の巻取方向を切り替えるための設定入力として扱うこともできる。
【００２３】
外部インターフェース（以下「外部Ｉ／Ｆ」と記す）２１１は、パーソナルコンピュータやサーバなどの各種情報機器である外部デバイス２１２と相互に通信するためのインターフェースである。外部Ｉ／Ｆ２１１は、有線ＬＡＮ、無線ＬＡＮ、またはＵＳＢなどの通信規格に則した通信インターフェースであってもよい。
【００２４】
図３は、本実施形態の記録装置１００の詳細を示す模式図であり、図３（ａ）（ｂ）はそれぞれ記録装置１００の断面図を、図３（ｃ）（ｄ）はそれぞれ巻取部１１０における芯体１４１近傍を示す模式図である。
【００２５】
図３（ａ）（ｂ）において、記録装置１００の筐体下部１２０に収容されたロール部１０５から用紙１０３が供給され、用紙１０３は複数の給紙ローラ対１４０によって搬送経路に沿って誘導される。次いで、用紙１０３は、記録装置１００の筐体上部１３０に配設されたキャリッジユニット１０８下部まで誘導される。このとき、用紙１０３は、印刷ヘッドを搭載したキャリッジユニット１０８と、用紙１０３の面とが対向する位置となるように搬送される。キャリッジユニット１０８の下部まで誘導された用紙１０３は、その後用紙１０３の面に所望の画像が印刷される。キャリッジユニット１０８が、用紙１０３の面に所望の画像を印刷する前に、用紙１０３が引き出されて巻取部１１０に取り付けられた場合、少なくとも排出口１０９から巻取部１１０までの用紙１０３に、印刷されない無駄なブランク領域が発生してしまう。そのため、本実施形態では、巻取部１１０に取り付けられる前の用紙１０３の面に、所望の画像が印刷される。なお、キャリッジユニット１０８はプリントヘッドを備えるため、印刷ユニットと呼ぶことも可能である。
【００２６】
キャリッジユニット１０８によって印刷された印刷面を有する用紙１０３は、排出口１０９から排出され、記録装置１００の筐体下部１２０に収容された巻取部１１０の位置まで搬送される。巻取部１１０まで搬送された用紙１０３は、巻取部１１０によってロール状に巻き取られる。
【００２７】
図３（ａ）の搬送経路と、図３（ｂ）の搬送経路とは、用紙１０３が巻取部１１０の下側に進入する搬送経路であるか、用紙１０３が巻取部１１０の上側に進入する搬送経路であるかという違いを有する。すなわち、図３（ａ）に示される巻取部１１０は、巻取制御部２０６によって矢印Ａの方向に回転制御されることにより、用紙１０３の印刷面が外側となるように、用紙１０３をロール状に巻き取る。一方、図３（ｂ）に示される巻取部１１０は、巻取制御部２０６によって矢印Ｂの方向に回転制御されることにより、用紙１０３の印刷面が内側となるように、用紙１０３をロール状に巻き取る。本実施形態の記録装置１００では、印刷面が外側となる外巻とするか、印刷面が内側となる内巻きとするかは、ユーザが用紙１０３の巻取前に任意に選択することができる。例えば、記録装置１００が備える切替スイッチを切り替えることにより、ユーザが外巻きか内巻きかを選択してもよいし、表示部２１０のＵＩ画面を介して外巻きか内巻きかを選択可能な態様であってもよい。
【００２８】
図３（ｃ）は、ユーザが外巻きを選択した場合における、芯体１４１への用紙１０３の取付方法を、図３（ｄ）は、ユーザが内巻きを選択した場合における、芯体１４１への用紙１０３の取付方法をそれぞれ示す模式図である。図３（ｃ）の取付方法と、図３（ｄ）の取付方法との違いにより、図３（ａ）における排出口１０９から芯体１４１の取付位置までの距離Ｌ１と、図３（ｂ）における排出口１０９から芯体１４１の取付位置までの距離Ｌ２との間に差が生じる。図３（ｃ）では、ユーザが、装置前面からアクセス可能な芯体１４１の手前側にそのまま用紙１０３を取り付けている。一方、図３（ｄ）では、ユーザが、一旦芯体１４１の奥側に用紙１０３を回り込ませて、用紙１０３を手前に引きだしてから芯体１４１に取り付けている。このとき、排出口１０９から芯体１４１の取付位置までの距離Ｌ１と、距離Ｌ２とは、Ｌ１＜Ｌ２の関係が成り立つ。なお、本実施形態では、用紙１０３と、芯体１４１とは、接着テープ１４２を用いて接着することにより取り付けを行う態様であるが、他実施形態では、芯体１４１が用紙１０３を係止するための係止機構を有し、当該係止機構を用いて取り付けを行ってもよい。なお、仮に内巻きが選択された場合に、ユーザが、接着テープ１４２を用いて、装置前面から芯体１４１の手前側と用紙１０３を取り付けることも可能である。しかし、装置前面から芯体１４１の手前側と用紙１０３が取り付けられ、芯体１４１が図３（ｂ）のＢの方向に動作すると、接着テープ１４２がはがれてしまうおそれがある。そのため、内巻きが選択された場合には、上述したように一旦芯体１４１の奥側に用紙１０３を回り込ませて、用紙１０３を手前に引きだしてから芯体１４１に取り付ける方が望ましい。
【００２９】
図４は、本実施形態における巻取方向を設定する処理を示すフローチャートである。図４に示されるフローチャートによる処理は、ＲＯＭ２０２に格納されたプログラムコードがＲＡＭ２０３に展開され、ＣＰＵ２０１によって実行される。巻取方向の設定は、ユーザが、表示部２１０に表示されるメニュー画面（不図示）から、「巻取方向設定」を選択することにより開始される。
【００３０】
Ｓ４０１において、ＣＰＵ２０１は、表示部２１０の液晶ディスプレイに巻取方向選択画面を表示する。ここで、図５は本実施形態の巻取方向選択画面の表示例を示したものである。巻取方向選択画面に含まれる選択ボタン５０１、５０２は、それぞれ液晶ディスプレイに仮想表示され、タッチスクリーン機能によってユーザからの選択入力を検出することができる。
【００３１】
再び図４に戻り、Ｓ４０２において、ＣＰＵ２０１が選択ボタン５０１、５０２のいずれかのボタンへの入力を検出すると（Ｓ４０２：ＹＥＳ）、ＣＰＵ２０１は、入力された選択ボタンに対応する巻取方向を設定値としてＲＡＭ２０３に記憶する（Ｓ４０３）。一方、Ｓ４０２において、選択入力を検出しなかった場合（Ｓ４０２：ＮＯ）、Ｓ４０２の処理を繰り返し選択入力の検出待ち状態となる。
【００３２】
図６は、本実施形態において、ユーザが用紙１０３を巻取部１１０に取り付ける際に、記録装置１００が実行する処理を示すフローチャートである。図６に示されるフローチャートによる処理は、ＲＯＭ２０２に格納されたプログラムコードがＲＡＭ２０３に展開され、ＣＰＵ２０１によって実行される。本フローチャートによる処理は、ユーザが、表示部２１０に表示されるメニュー画面（不図示）から、「巻取部への用紙取付」を選択することにより開始される。
【００３３】
Ｓ６０１において、ＣＰＵ２０１は、表示部２１０の液晶ディスプレイに開始確認画面を表示する。ここで、図７（ａ）は本実施形態の開始確認画面の表示例を示したものである。開始確認画面は、用紙１０３の先端が巻取部１１０の取付位置まで到達するように、所定量の用紙搬送を行うことを示すメッセージを含む。さらに、開始確認画面に含まれる選択ボタン７０１、７０２は、それぞれ液晶ディスプレイに仮想表示され、タッチスクリーン機能によってユーザからの選択入力を検出することができる。
【００３４】
再び図６に戻り、Ｓ６０２において、ＣＰＵ２０１が選択ボタン（いいえ）７０２への選択入力が行われたことを検出すると（Ｓ６０２：ＮＯ）、本フローチャートによる処理を終了する。
【００３５】
一方、Ｓ６０２において、ＣＰＵ２０１が選択ボタン（はい）７０１への選択入力が行われたことを検出すると（Ｓ６０２：ＹＥＳ）、Ｓ６０３に移行し、ＣＰＵ２０１は、表示部２１０の液晶ディスプレイに処理中画面を表示する。ここで、図７（ｂ）は本実施形態の処理中画面の表示例を示したものである。処理中画面は、所定量の用紙を搬送中であることを示すメッセージを含む。
【００３６】
再び図６に戻り、Ｓ６０４において、搬送制御部２０５は、ＬＦモータ２０８を駆動し、用紙１０３の先端が巻取部１１０の取付位置まで到達するように、所定量の用紙１０３を搬送する制御を行う。
【００３７】
ここで、図８は、本実施形態において、巻取部１１０の取付位置まで用紙１０３を搬送する処理（Ｓ６０４の処理）を示すフローチャートである。図８に示されるフローチャートによる処理は、ＲＯＭ２０２に格納されたプログラムコードがＲＡＭ２０３に展開され、ＣＰＵ２０１によって実行される。
【００３８】
Ｓ８０１において、搬送制御部２０５は、Ｓ４０３で記憶した巻取方向を示す設定値をＲＡＭ２０３から読み出す。
【００３９】
Ｓ８０２において、搬送制御部２０５は、Ｓ８０１で読み出した巻取方向が「外巻き」であった場合（Ｓ８０２：ＹＥＳ）、搬送制御部２０５は、用紙１０３の先端を巻取部１１０の取付位置まで搬送するための搬送量を「Ｌ１」とする（Ｓ８０３）。一方、Ｓ８０１で読み出した巻取方向が「内巻き」であった場合（Ｓ８０２：ＮＯ）、搬送制御部２０５は、用紙１０３の先端を巻取部１１０の取付位置まで搬送するための搬送量を「Ｌ２」とする（Ｓ８０４）。このように、制御部２００が実行するＳ８０２〜Ｓ８０４の処理は、いわば用紙１０３を巻取部１１０の取付位置まで搬送するための搬送量を決定する搬送量決定手段といえる。
【００４０】
Ｓ８０５において、搬送制御部２０５は、ＬＦモータ２０８を駆動し、Ｓ８０３またはＳ８０４で決定された搬送量の用紙１０３を搬送する制御を実行する。Ｓ８０５の用紙搬送制御を完了すると、再び図６のフローチャートに復帰する。
【００４１】
再び図６に戻り、Ｓ６０５において、ＣＰＵ２０１は、表示部２１０の液晶ディスプレイに取付確認画面を表示する。ここで、図７（ｃ）は本実施形態の取付確認画面の表示例を示したものである。取付確認画面は、用紙１０３の先端を巻取部１１０の芯部に取り付けるように促すメッセージを含む。さらに、取付確認画面に含まれる確認ボタン７０３は、それぞれ液晶ディスプレイに仮想表示され、タッチスクリーン機能によってユーザからの確認入力を検出することができる。
【００４２】
再び図６に戻り、Ｓ６０６において、ＣＰＵ２０１が確認ボタン７０３への確認入力が行われたことを検出すると（Ｓ６０６：ＹＥＳ）、本フローチャートによる処理を終了する。一方、Ｓ６０２において、確認入力を検出しなかった場合（Ｓ６０６：ＮＯ）、Ｓ６０６の処理を繰り返し選択入力の検出待ち状態となる。
【００４３】
以上説明した通り、本実施形態の記録装置は、ユーザが用紙１０３を巻取部１１０に取り付ける際に、巻取部１１０が用紙１０３を巻き取る巻取方向に応じて、用紙１０３の先端を巻取部１１０の取付位置まで搬送するための搬送量を決定する。そのため、巻取部１１０の巻取方向にかかわらず、搬送された用紙１０３が巻取部１１０に取り付けるのに適した位置に到達し、ユーザによる準備作業の負担を軽減することができる。
【００４４】
［実施形態２］
実施形態１では、記録装置１００の排出口１０９から芯体１４１の取付位置までの距離Ｌ１、距離Ｌ２とは、Ｌ１＜Ｌ２の関係が成り立っていた。ユーザが外巻きを選択した場合、装置前面からアクセス可能な芯体１４１の手前側にそのまま用紙１０３を取り付けるのに対し、ユーザが内巻きを選択した場合、一旦芯体１４１の奥側に用紙１０３を回り込ませてから芯体１４１に取り付けるためである（図３）。
【００４５】
そのため、実施形態１では、ユーザが外巻きを選択した場合は搬送量が大きくなり、ユーザが内巻きを選択した場合は搬送量が小さくなるという関係が成り立っていた。しかしながら、巻取方向と搬送量との関係は実施形態１のものに限定されるものではない。そこで、本実施形態では、実施形態１の記録装置１００とは異なる態様について説明する。なお、実施形態１と共通する部分については説明を簡略化ないし省略し、本実施形態に特有な点を中心に以下説明する。
【００４６】
図９は、本実施形態の記録装置１００の詳細を示す模式図であり、図９（ａ）（ｂ）はそれぞれ記録装置１００の断面図を、図９（ｃ）（ｄ）はそれぞれ巻取部１１０における芯体１４１近傍を示す模式図である。図９（ａ）（ｂ）に示される通り、本実施形態の巻取部１１０は、記録装置１００の排出口１０９の上部に配設されている。排出口１０９から排出された用紙１０３は、給紙ローラ対１４０の支持により上方に搬送されて、巻取部１１０にロール状に巻き取られる。
【００４７】
図９（ａ）に示される巻取部１１０は、巻取制御部２０６によって矢印Ａの方向に回転制御されることにより、用紙１０３の印刷面が外側となるように、用紙１０３をロール状に巻き取る。一方、図９（ｂ）に示される巻取部１１０は、巻取制御部２０６によって矢印Ｂの方向に回転制御されることにより、用紙１０３の印刷面が内側となるように、用紙１０３をロール状に巻き取る。
【００４８】
図９（ｃ）は、ユーザが外巻きを選択した場合における、芯体１４１への用紙１０３の取付方法を、図９（ｄ）は、ユーザが内巻きを選択した場合における、芯体１４１への用紙１０３の取付方法をそれぞれ示す模式図である。図９（ｃ）（ｄ）に示される通り、実施形態１とは異なり、ユーザが外巻きを選択した場合、一旦芯体１４１の奥側に用紙１０３を回り込ませてから芯体１４１に取り付ける必要がある。このとき、排出口１０９から芯体１４１の取付位置までの距離Ｌ１と、距離Ｌ２とは、Ｌ１＞Ｌ２の関係が成り立つ。
【００４９】
本実施形態では、記録装置１００が上記の通りに構成されているため、用紙１０３の印刷面が内側となる内巻きにおける搬送量よりも、用紙１０３の印刷面が外側となる外巻きにおける搬送量が大きくなる。そのため、排出口１０９から芯体１４１の取付位置までの距離Ｌ１と、距離Ｌ２とが、Ｌ１＞Ｌ２の関係が成り立っていた場合でも、用紙１０３が巻取部１１０に取り付けるのに適した位置に到達し、ユーザによる準備作業の負担を軽減することができる。
【００５０】
［その他の実施例］
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００５１】
１００・・記録装置
１０３・・用紙
１０８・・キャリッジユニット
１０９・・排出口
１１０・・巻取部
２００・・制御部
２０４・・印刷制御部
２０５・・搬送制御部
２０６・・巻取制御部
【図１】
2017071184.tif 000003
【図２】
2017071184.tif 000004
【図３】
2017071184.tif 000005
【図４】
2017071184.tif 000006
【図５】
2017071184.tif 000007
【図６】
2017071184.tif 000008
【図７】
2017071184.tif 000009
【図８】
2017071184.tif 000010
【図９】
2017071184.tif 000011